(57)【特許請求の範囲】
【請求項１】
少なくとも一つの使い捨て式センサーアセンブリを備える使い捨て式センサーシステムであって、
前記使い捨て式センサーアセンブリは、ネジ式キャップと、前記ネジ式キャップに固着された屈折率（ＩｏＲ）センサーであって、屈折率に基づいて化学物質濃度を測定し、前記化学物質濃度を表すデータの取得を行うように構成される屈折率（ＩｏＲ）センサーとを含み、前記使い捨て式センサーアセンブリは、前記ネジ式キャップの外面と螺合可能なネジ状の内径部を有するポートアセンブリを介して使い捨てポリマーバッグ容器に固定されており、前記ポートアセンブリは、当該ポートアセンブリに一体化されたポート光学窓を有し、かつ、前記使い捨て式センサーアセンブリは、前記ポート光学窓の外面において前記使い捨てポリマーバッグ容器に固定されており、
前記ＩｏＲセンサーは、少なくとも一つの前記ＩｏＲセンサーから前記化学物質濃度を表す前記データを受け取るように構成された制御・データ通信システムに結合されるように構成されていることを特徴とする、使い捨て式センサーシステム。
【請求項２】
前記ポートアセンブリは、ガンマ線に対して安定な材料で構成されていることを特徴とする、請求項１に記載の使い捨て式センサーシステム。
【請求項３】
前記ＩｏＲセンサーが前記使い捨てセンサーアセンブリの前記ネジ式キャップにポッティングされており、前記ネジ式キャップはガンマ線により殺菌処理されたポリマー材料から成ることを特徴とする、請求項１に記載の使い捨て式センサーシステム。
【請求項４】
屈折率（ＩｏＲ）整合材が前記ポート光学窓の前記外面と前記ＩｏＲセンサーとの間に配置されていることを特徴とする、請求項１に記載の使い捨て式センサーシステム。
【請求項５】
前記ＩｏＲ整合材が前記ポート光学窓の屈曲率と整合することを特徴とする、請求項４に記載の使い捨て式センサーシステム。
【請求項６】
前記ポートアセンブリは、前記ポート光学窓の内面が前記使い捨てポリマーバッグ容器の内側に露出するように、前記使い捨てポリマーバッグ容器と一体化されていることを特徴とする、請求項１に記載の使い捨て式センサーシステム。
【請求項７】
前記ポート光学窓に配置された第１の熱センサーと、前記ＩｏＲセンサーの回路基板に配置された第２の熱センサーとをさらに含むことを特徴とする、請求項１に記載の使い捨て式センサーシステム。
【発明の詳細な説明】
【技術分野】
【０００１】
［関連出願の相互参照］
本特許出願は、米国特許法第１１９条の規定により、「Ｄｉｓｐｏｓａｂｌｅ  Ｌｉｑｕｉｄ  Ｃｈｅｍｉｃａｌ  Ｃｏｎｃｅｎｔｒａｔｉｏｎ  ａｎｄ  Ｔｅｍｐｅｒａｔｕｒｅ  Ｓｅｎｓｏｒ  Ｓｙｓｔｅｍ」と題されて２０１４年３月１７日に出願された米国仮特許出願第６１／９５４，５００号に基づく優先権の利益を主張するものである。当該米国仮特許出願第６１／９５４，５００号は、あらゆる目的のために、参照によりその全体が本明細書に組み込まれる。
【０００２】
本開示は、概してセンサーシステムに関する。特に、本開示は、化学物質濃度センサーや温度センサーその他のセンサーシステムであって単回使用システムにおいて使用するために構成されたセンサーシステムなどのセンサーシステムに関する。
【背景技術】
【０００３】
従来、化学的生産技術（ｃｈｅｍｉｃａｌ  ｍａｎｕｆａｃｔｕｒｉｎｇ  ａｐｐｌｉｃａｔｉｏｎｓ）は、再利用可能なステンレス鋼システム内で行われている。しかしながら、単回使用（例えば使い捨て）技術（ＳＵＴ：ｓｉｎｇｌｅ−ｕｓｅ  ｔｅｃｈｎｏｌｏｇｙ）、特にバッグなどの単回使用システム（ＳＵＳ：ｓｉｎｇｌｅ−ｕｓｅ  ｓｙｓｔｅｍ）は、バイオテクノロジー及びバイオ医薬品生産マーケット用に急速に成長している革新技術である。ＳＵＳは、バイオ医薬品生産分野では（上流工程・下流工程いずれの用途でも）広範に、特に臨床試験及び研究開発において使用されている。
【０００４】
ＳＵＳを用いると、汚染リスクが抑えられ、各プロセスで必要な洗浄時間及び化学物質の量が低減され、また、必要とされるシステム検証ステップ数が抑えられ且つ／又はそうした検証ステップが簡単になることによる、従来の再利用可能なステンレス鋼システムを上回るいくつかの利点がある。ＳＵＳを使用することによるさらなるメリットとしては、可撓性やスケーラビリティ、実装スピードなどが挙げられる。
【０００５】
従って、ＳＵＳは現在、バイオリアクターから混合系まで幅広いシステムにおいて展開されている。上流工程において現在ＳＵＳが使用されている応用例としては、混合や浄化、殺菌濾過といった媒体調製プロセスなどが挙げられる。下流工程において現在ＳＵＳが使用されている応用例としては、細胞採取や浄化、クロマトグラフィー濃縮及び透析濾過、汚染物質除去、緩衝液調製などが挙げられる。
【０００６】
このようなプロセスを制御するためには、例えばプロセスに関連する化学物質の温度又は濃度など多くのプロセスパラメータを正確に測定する必要がある。上記のようにＳＵＳの使用が拡大しているため、これらのＳＵＳと連動させてこれらのプロセスパラメータを測定することが望ましい。しかしながら、そのようなＳＵＳを実現する容易性や有効性は明らかになっていない。センサーをＳＵＳと一体化させなければならないため、そうしたＳＵＳを実現しようとする試みは少なからず停滞している。バッグなどＳＵＳに使用される容器にセンサーを接合した上でなお正確な測定を行うのは、困難である。これは少なからず、特定のセンサーでは、正確な測定を行うために化学物質そのものに接触することが必要な場合や、パラメータを間接的に測定（例えば、パラメータの代わりとなる別のパラメータを測定）する場合があるためであり得る。また、このようなセンサーの費用も問題である。プロセスの過程が完了すると、ＳＵＳはセンサーとともに廃棄され得る。センサーは高価な場合があるので、このようなセンサーをコンスタントに廃棄することにより、このようなＳＵＳを使用して化学物質を生産する費用も増大し得る。
【０００７】
よって、求められているのは、プロセス制御又は管理において使用するためのデータ収集を改善するために、センサーをＳＵＳに効果的に一体化するシステム及び方法である。特に、これらのＳＵＳにおいて化学物質濃度又は温度を有効に測定するための、有効であり且つ比較的安価なシステム及び方法を提供することが求められている。
【発明の概要】
【課題を解決するための手段】
【０００８】
この目的のために、本明細書で開示される実施形態は、単回使用システムと接合されるように構成された、完全に一体化された単一の小型インターフェースパッケージにおける使い捨て式センサーを含むものとすることができる。このようなセンサーに係る各実施形態は、例えば化学物質濃度センサー又は温度センサーを含み得る。当該センサーは、電子制御・データ通信モジュールと接合され得る。当該電子制御・データ通信モジュールは、複数のセンサーに接合されるように構成され得る。
【０００９】
各使い捨て式センサーは、ポリマーバッグやライナー、オーバーパックなどの使い捨て容器に容易に接合される。このような接合は殺菌式方法を使用して行われ得る。いくつかの実施形態では、容器の接合は、当該容器と一体化されたポートアセンブリを使用して行われ得る。当該ポートアセンブリは透光性窓を含み、センサーが例えばネジ式取付け具又はスナップインコネクタを使用して光学窓と接合されるようにポートアセンブリに機械的に取り付けられ得るように構成される。当該窓は、例えば、ホウケイ酸塩ガラス、サファイアその他の透光性材料であってよい。
【００１０】
いくつかの実施形態では、センサーは、屈折率に基づいて化学物質濃度を測定する屈折率（ＩｏＲ）センサーを含む。この光学測定は真の濃度を測定し得るものであり、従来のＳＵＳ単独式センサーにより行われるｐＨ及び伝導率の測定に勝る利点がある。
【００１１】
光学センサーと透光性窓との間に空気が介在する（上記のような光学測定の結果を歪めるおそれがある）のを避けるために、透光性又はＩｏＲ整合性を有する流体がセンサーとフランジの窓との間に配置され得る。このような流体は、例えば、センサーをフランジに取り付ける前に、窓に接するように配置され得る。
【００１２】
従って、他の利点に加えて、いくつかの実施形態には、屈折率（ＩｏＲ）濃度センサーなどの光学センサーをバッグなどのＳＵＳに結合することにより得られる利点がある。これらの利点としては、感度、精度その他の機能的な利点などが挙げられる。例えば、特定の接続性センサーは非イオン性化学種では機能しないが、ＩｏＲセンサーは、このような化学種に対しても試料自体と物理的に接触することなく機能し得る。よって、いくつかの実施形態によると、非イオン性化学種を含む多種多様な化学物質とともに利用することができる真の濃度センサーが得られる。また、このようなセンサーは、試料を捉える必要があるものなど他のセンサーと比較すると、測定を比較的高速で行うことができる。
【００１３】
また、後からセンサーをポートアセンブリに機械的に取り付けることができる容器のポートアセンブリを提供することにより、センサーを考慮することなく、照射殺菌などを含む多種多様な殺菌処理をこのようなバッグと併用することができる。この利点により、こうしたセンサーシステムとともに使用される単回使用センサーでは、このような殺菌処理に耐性を有するように設計する必要がないため、こうしたセンサー及びこれに対応する、単回使用センサーシステムを含むシステムの費用を抑えることができる。
【００１４】
また、濃度及び温度センサーが単一のプラットフォームに一体化される実施形態では、従来のＳＵＳセンサーシステムと比較していくつか利点が得られ得る。一体化により、単独式センサーそれぞれに対して必要であった複数のバッグポートが不要となる。複数のセンサーに接続されるように構成された単一の電子制御モジュールにより、ＳＵＳを構成する費用が抑えられるとともに、監視・制御システム用のデータ収集及び管理が改善され得る。
【００１５】
本開示に係るこれらの態様及び利点並びにその他の態様及び利点は、以下の説明及び添付図面と併せて考えることによってさらに理解しやすくなる。以下の説明では、様々な実施形態及び数多くのそれらの具体的な詳細が記載されているが、これらは例示のための記載であり、本発明を限定するものではない。多数の置換えや修正、構成付加、再配置を本開示の範囲内で行うことができ、本開示は、このような置換えや修正、構成付加、再配置をすべて含むものである。
【００１６】
よって、本発明について一般論的に記載してきたが、以下では添付図面が参照される。これらの図面は、必ずしも実際のスケールに従って図示されたものではない。各実施形態及びそれらの利点は、添付図面とともに以下の説明を参照することによって、より完全に理解することができる。添付図面において、類似の参照番号は類似の特徴を示す。
【図面の簡単な説明】
【００１７】
【図１】化学的混合プロセス用に構成された使い捨てバッグを使用した単回使用システムの一実施形態を図示する。
【図２】使い捨て式センサーシステムを含むように構成された、単回使用システムの一実施形態の図である。
【図３Ａ】使い捨て式センサーが使い捨て容器に接合された一実施形態の上面図を図示する。
【図３Ｂ】使い捨て式センサーが使い捨て容器に接合された一実施形態の底面図を図示する。
【図４】使い捨て式センサーが使い捨て容器に接合された一実施形態の断面図を図示する。
【図５Ａ】使い捨て容器の光学窓に接合された使い捨て式光学センサーの図である。
【図５Ｂ】使い捨て容器の光学窓に接合された使い捨て式光学センサーの図である。
【図６】本明細書で開示されるいくつかの実施形態に係る二つの使い捨て式光学センサーに接続されるように構成された電子制御モジュールの一実施形態である。
【発明を実施するための形態】
【００１８】
本開示並びに本開示に係る様々な特徴及び有利な細部について、添付図面に図示するとともに以下の説明において詳述する非限定的な実施形態を参照して、さらに十分に説明する。詳細な開示が不必要にわかりにくくならないように、周知の出発物質、加工技術、構成要素、及び設備の説明は省略する。しかしながら、当業者であれば、当該詳細な説明及び具体例が、好ましい実施形態を開示するものではあるが、単に例示のために与えられたものであり、本発明を限定するものではないということは理解するはずである。本開示により、本発明の本質的なコンセプトの範囲内の様々な置換え、修正、付加、又は再配置が当業者に明らかになるであろう。
【００１９】
上述のとおり、単回使用システム（ＳＵＳ）には、従来の再利用可能なステンレス鋼（などの）システムに対していくつかの利点があり、現在、バイオリアクターから混合システムまで様々なシステムにおいて展開されている。特定の実施形態についてより詳細に説明する前に、まず簡単な背景情報を多少記載しておくのが有用であろう。生産用途を含む化学的応用技術において、ライフサイエンスやバイオ医薬品との関連で、ターンアラウンドの時間を短くすることを求められることが多い。しかしながら、多くの再利用可能な生産装置（例えばバイオリアクターなど）では、別のバッチの化学物質を生産するための洗浄、殺菌その他の準備に長い時間がかかる場合がある。従って、これらの生産プロセスの多くでＳＵＳが利用され始めている。具体的には、単回使用容器はプロセスに使用された後廃棄される。ＳＵＳを用いると、汚染リスクが抑えられ、各プロセスで必要な洗浄時間及び化学物質の量が低減され、また、必要とされるシステム検証ステップ数が抑えられ且つ／又はそうした検証ステップが簡単になることによる、従来の再利用可能なステンレス鋼システムを上回るいくつかの利点がある。
【００２０】
従って、ＳＵＳは、現在ではとりわけバイオリアクターから混合システムまで幅広いシステムにおいて展開されている。しかしながら、これらのＳＵＳが利用されるプロセスは、多くの場合、特定のプロセスパラメータに対して非常に敏感である。従って、これらのプロセスを十分に管理又はその他の方法で制御するためには、このようなプロセスパラメータを正確に測定できることが重要である。しかしながら、これらのパラメータを測定するためにセンサーをＳＵＳに使用される単回使用容器と一体化させることは、これまで成功していなかった。これらの単回使用容器（例えばバッグやライナー、オーバーパックなど）にセンサーを接合した上でなお正確な測定を行うというのは困難であり、またそれだけでなく、このようなセンサーの費用も問題となる。
【００２１】
化学物質の加工や保存、輸送には、容器が使用され得る。ここで図１を参照すると、化学的混合その他の種類のプロセスのための典型的なＳＵＳ構成１００の図が図示されている。混合プロセスは、ポリマーバッグやライナー、オーバーパックなどの容器内で実行され得る。このような容器は、単独の構成で利用されてもよく、再利用可能なステンレス鋼の（又はその他の種類の）器１１０などの器の中へ設置されてもよい。よって、この容器は、バッグ・イン・ボトル（ＢＩＢ：ｂａｇ  ｉｎ  ａ  ｂｏｔｔｌｅ）又はバッグ・イン・コンテナ（ＢＩＣ：ｂａｇ  ｉｎ  ａ  ｃｏｎｔａｉｎｅｒ）システムの一部であってもよい。使い捨てポリマーバッグ１２０などの容器は、使用（例えば、容器を使用しての化学的混合プロセス、化学物質の輸送など）が終わった後で廃棄される。
【００２２】
これらの種類の容器は、殺菌済容器又は未殺菌容器を使用する必要がある多種多様なプロセスにおいて使用することができ、多種多様な腐食性又は非腐食性の化学物質（例えば、フッ化水素や、硫化水素、水素過酸化物、水酸化アンモニウム、酸、溶媒、塩基、フォトレジスト、スラリー、洗浄配合物、ドーパント、無機溶液、有機溶液、有機金属溶液、生物学的溶液、医薬品、放射性化学物質、シリコン源化合物、化学的機械的平坦化（ＣＭＰ）組成物など）とともに、多種多様な産業（例えば、ライフサイエンス、医薬品、半導体製造など）において使用することができるため、これらの種類の容器は多種多様な材料で形成され得る。これらの材料には、例えば、プラスチック、ナイロン、ＥＶＯＨ、ポリオレフィン、その他の天然ポリマー又は合成ポリマーなどのポリマー、ポリエチレンテレフタレート（ＰＥＴ）、ポリエチレンナフタレート（ＰＥＮ）、ポリ（ブチレン２、６−ナフタレート）（ＰＢＮ）、ポリエチレン（ＰＥ）、鎖状低密度ポリエチレン（ＬＬＤＰＥ）、低密度ポリエチレン（ＬＤＰＥ）、中密度ポリエチレン（ＭＤＰＥ）、高密度ポリエチレン（ＨＤＰＥ）、及び／又はポリプロピレン（ＰＰ）、フルオロポリマー（非限定的な例として、ポリクロロトリフルオロエチレン（ＰＣＴＦＥ）、ポリテトラフルオロエチレン（ＰＴＦＥ）、フッ素化エチレンプロピレン（ＦＥＰ）、ペルフルオロアルコキシ（ＰＦＡ）、エチレンテトラフルオロエチレン（ＥＴＦＥ）（Ｔｅｆｚｅｌ（登録商標）としてＤｕｐｏｎｔから販売されているものなど））などが挙げられる。
【００２３】
図示された実施形態では、プロセスにおいて使用される化学物質は、バッグポートに取り付けられた化学物質送達管１４０を通ってバッグ１２０に入る。各化学物質送達チューブ１４０は、バッグの外面上のフランジ１３０において、各バッグポートに機械的に取り付けられている。従来、このようなバッグ１２０とともに使用する単独式センサーは、ｐＨなどの化学的特性、伝導率、又は温度を測定するものである。これらの単独式センサーはそれぞれ、ポート中へ設置される。よって、複数の単独式センサーを使用するためには、バッグ１２０などの容器が複数のポートを有するように構成されている必要がある。バッグポートは、さらなるコスト及び汚染の原因となり、また、通常実装（較正など）及び取付けにあたりテクニカルサポートが必要となる。
【００２４】
よって、ＳＵＳ中の化学物質濃度や温度などの化学的パラメータの測定を改善する、費用対効果の高い解決策の提供が望まれている。この目的のために、本明細書で開示される実施形態は、バッグなどの容器であって当該容器と一体化されたポートアセンブリを有する容器を含むものとすることができ、当該ポートアセンブリは透光性窓を含む。この窓は、例えば、ホウケイ酸塩ガラスやサファイア、その他の透光性材料であってよい。センサーは、例えばネジ式接続やスナップイン接続、接着剤などを使用して、ポートアセンブリに機械的に取り付けられ得る（例えば、これによってセンサーを光学窓に接合することができる）。
【００２５】
このようなセンサーの実施形態としては、例えば、化学物質濃度（例えば分析物の濃度など）センサー又は温度センサーが挙げられる。センサーは、一つ以上のセンサーと接続されるように構成され得る電子制御・データ通信モジュールと接続され得る。この接続は、例えば、センサーに対して機械的に又は通信式に結合されるように構成されたＴｕｒｋ又はＨｉｒｏｓｈｉコネクタを使用して制御モジュールをセンサーに結合することにより実現され得る。このようなセンサーは、例えば、屈折率の原理に基づく光学測定を利用して化学物質濃度を測定するための光学的濃度センサーであってよい。このようなセンサーの実施形態は、化学物質の温度その他の性質を測定するものであってもよい。
【００２６】
図２は、ＳＵＳ２００の一実施形態の図であり、ＳＵＳ２００は、例えば使い捨て式の液体化学物質濃度・温度センサーシステムなどの使い捨て式センサーシステムを含むように構成された、バッグやライナー、オーバーパックなどの容器２０５を含む。この使い捨て式の液体化学物質濃度・温度センサーシステムは、ケーブル（２３０ａ及び２３０ｂ）を介してそれぞれ一つ以上の使い捨て式センサーに接続するように構成された電子制御・データ通信モジュール２４０を備える。
【００２７】
本実施形態では、当該センサーのうち一つ以上は、使い捨て容器２０５の光学窓と接合されるように構成された光学センサーである。このような場合、ポートアセンブリは、フランジ２１０を含み、バッグと一体化され、透光性窓が（容器２０５内に流体が存在する場合に）容器２０５内の流体と接触するようにフランジ内に配置されたものとすることができる。この窓は、例えば、ホウケイ酸塩ガラス、サファイアその他の透光性材料（例えばエチレンテトラフルオロエチレン（ＥＴＦＥ）などの透光性ポリマー材料）であってよい。各光学センサーはそれぞれ、機械的機序を使用して、バッグのフランジ２１０の光学窓のところで使い捨て容器２０５の外面に固定される。光学センサーは、例えば、レセプタクル２２０（例えば２２０ａ又は２２０ｂ）を含むセンサーアセンブリにポッティングされ（ｐｏｔｔｅｄ  ｉｎｔｏ）てもよく、レセプタクル２２０は、センサーをフランジ２１０の光学窓と接合することができるように、例えばネジ式又はスナップイン式のコネクタを使用してフランジ２１０に機械的に結合され得る。
【００２８】
特定の場合には、コネクタ（図示せず）は、レセプタクル２２０にポッティングされたセンサーに機械的に又は通信式に結合され得るとともに、それを通して電子制御・データ通信モジュール２４０がセンサーに（例えば機械的に又は通信式に）結合され得るコネクタ（例えばＴｕｒｋ又はＨｉｒｏｓｈｉコネクタ）として機能し得る。このようなコネクタは、例えば、センサーのリード線その他の電子インターフェースに（例えばネジ式又はスナップイン式コネクタにより）機械的に取り付けられるように構成されたボンネットであってよく、電子制御・データ通信モジュール２４０が結合されたコネクタを通じて一つ以上のセンサー信号を提供することができる。
【００２９】
図３Ａ及び図３Ｂはそれぞれ、センサーを使い捨て容器と接合するために、バッグなどの使い捨て容器に一体化されるように構成されたポートフィッティングの一実施形態の図を示す。具体的には、図３Ａは一実施形態の上面図を示し、図３Ｂは当該実施形態の底面図を示す。ここで、ポートアセンブリ３００は、ポートアセンブリ３００の光学窓が使い捨てバッグの内部へ露出するとともに使い捨て式光学センサーが光学窓と接合されるように、使い捨てバッグと機械的に一体化されるように構成されている。ポートアセンブリ３００は、ガンマ線に対して安定な材料から成るものとすることができる。このような材料としては、例えば塩化ポリビニルやフッ化ポリビニル、ポリ酢酸ビニルなどガンマ線に対して安定なポリマー材料、フッ素化エチレンプロピレン（ＦＥＰ）やエチレンテトラフルオロエチレン（ＥＴＦＥ）、高密度ポリエチレン又は低密度ポリエチレンなどのポリエチレン、ポリフッ化ビニリデン、エチレンテトラフルオロエチレン、ポリイミドなどその他のポリマーが挙げられる。
【００３０】
より具体的には、ポートアセンブリ３００の上面図には、ポートフィッティング３００のうちこれと一体化される使い捨てバッグの外面に面する部分が示されている。この図では、センサー３１０を使い捨てバッグの外面に機械的に取り付けたものが図示されている。いくつかの実施形態では、使い捨て式光学センサー３１０は、例えばアルミナ又はシリコン系材料（例えば室温加硫（ＲＴＶ：Ｒｏｏｍ  Ｔｅｍｐｅｒａｔｕｒｅ  Ｖｕｌｃａｎｉｚｉｎｇ）シリコーン）から成るポッティング材料を使用して、キャップ３３０（これも上述のようなガンマ線に対して安定なポリマー材料から成るものであってよい）にポッティングされる。光学センサー３１０がキャップ３３０にポッティングされる実施形態では、ポッティング材料の熱伝導度によって熱センサー３２４による温度測定が容易になり得る。次いで、キャップ３３０は、使い捨てバッグと一体化された光学窓３５０のところに配置された使い捨て式光学コネクタフランジ３２０へ、光学エポキシを使用して溶接される。光学窓３５０の内面は使い捨てバッグの内部へ露出する。センサー３１０の一例は、カリフォルニア州プレザント・ヒルのＥｎｔｅｇｒｉｓ−Ｊｅｔａｌｏｎ  Ｓｏｌｕｔｉｏｎｓ，Ｉｎｃ．により販売されているＳＲＳＥＮＳＯＲである。このようなセンサーの別の実施形態は、参照によりその全体が本明細書に組み込まれる米国特許出願第１３／４０１、７６５号明細書、米国特許第７、３１９、５２３号明細書、及び米国特許第７、３１７、５３３号明細書に開示されている。
【００３１】
図３Ｂには（光学コネクタフランジ３２０に溶接されたキャップ３３０内の）センサー３１０を見下ろす形でポートアセンブリ３００の底面図が示されている。ポートアセンブリ３００のこの部分により、光学窓が使い捨てバッグの内部へ露出する。この図では、センサー３１０、光学窓、及び使い捨てバッグ間の接合の様子が図示されている。光学センサー３１０は、液体濃度センサー３２２及び熱センサー３２４を含み得る。
【００３２】
いくつかの実施形態では、光学センサー３１０が透光性窓３６０（ホウケイ酸塩ガラスやサファイアなど）に固着され、当該透光性窓３６０は光学窓３５０と接合される。光学窓３５０の内面は使い捨てバッグの内部へ露出する。いくつかの実施形態では、光学窓３５０は、化学的に不活性な透光性材料（例えば、ホウケイ酸塩ガラスやサファイア、ダイアモンド、フッ素化エチレンプロピレン（ＦＥＰ）やエチレンテトラフルオロエチレン（ＥＴＦＥ）などの透光性ポリマー材料など）で構成される。センサーガラス窓３６０と光学窓３５０との間の接合部は、これらの間にエアギャップを生じることなく両面が確実に固着するように、屈折率（ＩｏＲ）整合材（例えば油やゲル、エポキシなど）で充填される。特定の接合において使用されるＩｏＲ整合材は、使い捨てバッグの光学窓のＩｏＲに整合するように選択され得る。
【００３３】
なお、本実施形態では、使い捨てバッグの内部へ露出した光学窓３５０と接合されている透光性窓３６０に固着された光学センサー３１０が図示されているが、別の実施形態では、透光性窓３６０が設けられなくてもよい。このような実施形態では、光学センサー３１０は、光学窓３５０に直接接触してもよく、光学窓３５０から作動距離だけ離間されて、光学センサー３１０と光学窓３５０との間にＩｏＲ整合材が配置されてもよい。
【００３４】
図４は、本発明の様々な実施形態に係る、使い捨てバッグ４０５の光学窓４５０に接合された使い捨て式光学センサー４１０の図である。光学センサー４１０は、上述のように、光学コネクタフランジ４２０を介して光学窓４５０のところで使い捨てバッグ４０５の外面に取り付けられたレセプタクル４３０にポッティングされる。光学センサー４１０は、光学窓４５０に隣接する液体化学物質濃度センサー４２２及び熱センサー４２４を含む。
【００３５】
いくつかの実施形態では、光学センサー４１０は、ケーブル４４２を介して電子制御・データ通信モジュールに通信式に結合される。図２に関して上述したように、ＳＵＳは、複数の光学センサーを含むように構成され得る。また、単一の電子制御モジュールは、これらの光学センサーすべてに同時に接続されるように構成され得る。
【００３６】
使い捨て式光学センサーシステムの別の実施形態が図５Ａ及び図５Ｂに図示されている。光学センサーシステム５００は、ポートアセンブリ５１０及びセンサーアセンブリ５２０を含む。図５Ａには、ポートアセンブリ５１０及びセンサーアセンブリ５２０が取り外された状態で図示されており、図５Ｂには、ポートアセンブリ５１０及びセンサーアセンブリ５２０が機械的に結合された状態で図示されている。ポートアセンブリ５１０（及び、場合によってはセンサーアセンブリ５２０）の材料は、ガンマ線に対して安定な（上述のような）ように、又はＥビームやオゾン処理水などによるその他の殺菌処理に耐えられるように選択された材料を含むことができる。
【００３７】
また、ポートアセンブリ５１０はポート窓５１２を含むこともできる。ポート窓５１２は、射出成型（オーバーモールドなどを含む）を行ったりネジ式挿入及び圧縮封止を使用したりするなど、窓５１２をバッグと封止する取付け技術を使用して、バッグと一体化され得る。このようにして、窓５１２の内面はバッグの内部へ露出し、窓５１２の内面と反対側の外面はバッグの外面上に露出することになる。
【００３８】
図示された実施形態では、ポートアセンブリ５１０は、内径部がネジ状になった外側環状ニップル５１４と、内径部及び外径部がネジ状になった内側環状ニップル５１６と、を含み得る。また、ポートアセンブリ５１０は、外側環状リング５１８（外側ニップル５１４の一部として形成されてもよい）と内側環状リング５２２とを含んでもよい。窓５１２は、内側環状リング５２２に接するように配置されてもよく、いくつかの実施形態では、環状Ｏリングシール５２４が窓５１２と内側環状リング５２２との間に配置されてもよい。内側ニップル５１６が外側環状ニップル５１４の内ネジに螺合されると、内側ニップル５１６は、少なくとも窓５１２と接触し得る（さらに、いくつかの実施形態では外側環状リング５１８の少なくとも一部とも接触し得る）。内側ニップルは、窓５１２と内側環状リング５２２との間（又は内側のリング５２２と窓５１２とＯリングとの間）に液密シールを形成することができるように、十分な力で締め付けられ得る。よって、センサーアセンブリ５２０は、窓５１２を備えたバッグに機械的に固定され得る。窓５１２はバッグ内に流体が存在する場合はこれと接触し、窓５１２の一部が内側ニップル５１６の開口部を通じて露出する。
【００３９】
よって、ポートアセンブリ５１０は、システムの単回使用バッグ、管その他の構成要素と一体化され得る。これらバッグ、管その他の構成要素には殺菌処理が施され得る。場合によっては、このようなポートアセンブリ５１０は、チューブその他の構成要素といったフロースルー装置（ｆｌｏｗ  ｔｈｒｏｕｇｈ  ｄｅｖｉｃｅ）の一部であってもよい。当該構成要素は、システムの他の部分に接続された無菌性（殺菌済の）入力コネクタ及び／又は出力コネクタを使用することができる。よって、例えば、センサーポートを形成するフロースルー装置は、殺菌された環境において接続され／取り外され得る。
【００４０】
場合によっては、ポートアセンブリ５１０は、液体がそれを通って流れるシステムの構成要素、例えばバッグの外側の管などに対して、結合されるか又は別の形で一体化され得る。本発明を限定するものではないが、例として、単回使用バッグ用の再循環ループを形成して、流体を当該単回使用バッグからループを通して当該バッグへ戻すように、ポンプ（例えば蠕動ポンプその他のポンプ）で流体のポンピングを行うことができる。ポートアセンブリ５１０は、流体がポート窓を越えて流れるように、当該ループの壁部に一体化され得る。
【００４１】
次いでセンサーアセンブリ５２０について見ると、センサーアセンブリ５２０は、ネジ式キャップ５３２及び当該ネジ式キャップ５３２に固着されたセンサー５３４を含み得る。ネジ式キャップ５３２は、円筒状で外径部にネジ部を有するものとすることができる。例えば、センサー５３４はネジ式キャップ５３２にポッティングされ得る。必要に応じて、センサーアセンブリ５２０はセンサー窓５３６を含んでもよく、センサー５３４は、接着剤などを使用してセンサー窓５３６に固着されてもよい。
【００４２】
センサーアセンブリ５２０は、ネジ式キャップ５３２の外面のネジが内側ニップル５１６の内面のネジに係合するように、内側ニップル５１６に螺合され得る。次いで、ネジ式キャップ５３２は、センサー５３４（特定の実施形態ではセンサー窓５３６）が窓５１２に接触するまで、又は窓５１２から所望の作動距離のところに達するまで、締められ得る。このようにして、センサー５３４がポート光学窓５１２の外面と接合され得る。センサーをポートに機械的に取り付けるためのネジ式ニップルを使用した実施形態について説明したが、別の実施形態ではポートアセンブリが別の仕組みを使用してセンサーを受容することもできるということは理解されよう。例えば保持クリップなどの使用が挙げられる。
【００４３】
センサーアセンブリ５２０が所定位置に配置されると、センサー光学窓５３６とポート光学窓５１２とが接触し得る（又は互いに作動距離だけ離間し得る）。あるいは、センサーアセンブリ５２０がセンサー窓５３６を含まない場合は、センサー５３４の表面がポート光学窓５１２と接触し得る（又はポート光学窓５１２から作動距離だけ離間し得る）。このような場合、両表面（例えば、ポート窓５１２の表面及びセンサー窓５３６の表面、又はポート窓５１２の表面及びポート窓５１２と接触しているセンサー５３４の表面）が固着され得る。一実施形態では、両表面がファンデルワールス力を通じて固着されてもよく、別の実施形態では、中間材料、例えばシリコーン油、光学エポキシその他の材料を使用することもできる。中間材料は、例えばポート窓又はセンサー窓のＩｏＲと整合し得るＩｏＲ整合材であってもよい。また、このような固着を強化するために、各表面は磨かれて滑らかなものとしてもよい。
【００４４】
次いで、センサー５３４を制御モジュールその他のデバイスに結合するために、スナップ式コネクタがセンサーに取り付けられ得る。一実施形態では、ボンネット５４０は、センサーに機械的に、また通信式に結合されるように構成されたスナップ式コネクタを含み得る。ボンネット５４０はコネクタ（例えばＴｕｒｋ又はＨｉｒｏｓｈｉコネクタ）を含んでもよく、当該コネクタには、センサーから電子制御又はデータ通信モジュールへ信号を提供するようにケーブルが接続され得る。いくつかの実施形態では、信号増幅その他の処理のために中間マイクロプロセッサがボンネット５４０に含まれる。
【００４５】
いくつかの実施形態では、光学センサー（例えば光学センサー３１０、４１０、又は５３４）は、屈折率の原理に基づいて液体化学物質の濃度を測定する屈折率センサーである。従来、屈折率は、高価で嵩張る研究室用の機器（例えば、卓上型屈折計や複雑なインライン化学監視装置）を使用して測定されている。バッグの内部の液体化学物質の屈折率は、光源とプリズムと反射窓と光学反射光用の検出器とを含む少なくとも一つの使い捨て式小型光路を使用する使い捨て式センサーで計算され得る。
【００４６】
ＳＵＳ中で屈折率センサーを使用すると、従来ＳＵＳ中で使用されているセンサーに対していくつか利点がある。ｐＨセンサー及び伝導率センサー（ＳＵＳ中で通常使用される単独式センサー）はそれぞれ液体のＨ＋成分及びイオン性成分のみに限られるものだが、屈折率からは液体中の全成分の総濃度が測定される。屈折率は濃度と線形関係にあり、容易に較正される。よって、屈折率センサーにより、流体又は化学物質の濃度を、それらが透明か不透明かにかかわらず測定することができる。屈折率センサーは、屈折率の波長分散性を利用することにより化学物質スペシエーション装置として使用され得る。スペシエーションの決定は通常、高価な吸収分光技術（例えば近赤外吸収分光）を使用して行われるが、こうした技術はＳＵＳ系システムとは相容れないものである。また、屈折率センサーは、上述のような殺菌式方法を使用して、使い捨てバッグの光学窓に容易に接合される。
【００４７】
いくつかの実施形態では、ＳＵＳとともに利用されるような屈折率センサーは、ダイマウントＬＥＤを保持するための小型プリント回路基板（以下、「ＰＣＢ」という）や、ＬＥＤ制御用電気回路、光学反射光用の受光電子機器などの小型構成要素を使用して生産され得る。光学反射光用の受光電子機器は、センサーから送信されたアナログ信号又はデジタル信号をスケールし、増幅し、読み出すために使用され、いくつかの実施形態では、フォトダイオードアレイ及び／又は回路ドライバを備えた電荷結合素子を含み得る。
【００４８】
また、光学センサーは、例えば、実行中の化学的プロセスから収集されてリアルタイムで処理されるデータを保存するための不揮発性メモリを含んでもよい。収集されるデータの種類の例としては、較正表やセンサー識別子、温度補償係数、圧力／流量補償係数などが挙げられる。
【００４９】
いくつかの実施形態では、光学センサーはさらに熱センサーを含む。本技術分野で知られているように、屈折率には、化学物質濃度に対してだけでなく温度に対しても関数的依存性がある。屈折率は、理論的には一定の温度（例えば２０℃）で作業が行われることを基準としているが、化学的プロセス中で測定を行うセンサーは、通常、温度の変動に曝される。屈折率を濃度のリアルタイム監視に使用する場合、温度のずれもそれぞれ濃度変化として検知され得る。
【００５０】
実行中の化学的プロセスの間に生じた温度変化を検知するために、第１熱センサーを特定の実施形態における光学センサー窓に配置することができ、また第２熱センサーを光学センサーのプリント回路基板に一体化することができる。検知した温度変化を示すデータは、収集されて光学センサーの不揮発性メモリ内に保存され得る。
【００５１】
熱センサーにより収集される温度データは、実行中の化学的プロセスの間リアルタイムで温度補償を行うために光学センサーにより（又は別の形で）実行され得るソフトウェア及び／又はファームウェアとして実装される様々なメソッドに入力され得る。例えば、いくつかの実施形態において、第１方法では、テスト中の化学物質及びＳＵＳ内の熱的環境に依存する相関係数を計算することができる。当該計算は、温度変化が遅いことを示す収集したデータと化学物質濃度の変化を示す収集したデータとの比較に基づくものである。これに加え、又はその代わりに、第２方法では、温度の微分（ｄｅｒｉｖａｔｉｖｅ）に対して変化する各化学物質濃度間の相関から導かれる温度変動率補正項（ｔｅｍｐｅｒａｔｕｒｅ  ｆｌｕｃｔｕａｔｉｏｎ  ｒａｔｅ  ｃｏｒｒｅｃｔｉｏｎ  ｔｅｒｍ）を計算することができる。この率補正項は、温度の急速な過渡変化を補正するために使用され得る。こうした温度の急速な過渡変化は、新しい化学物質を既存のバイオリアクターに添加するといった状況で現れる特徴であり、また、温度変化を鈍らせるほどの熱質量を有しない小さなセンサー上で非平衡的に流れる化学物質に起因する場合もある。実行中の化学的プロセス（例えば、化学的注入サイクルや反応サイクルなど）の間に全体的な温度補償を行うことができるようにするために、変化の遅い温度に対する補正を急速な過渡変化に対する補正とともに利用することができる。
【００５２】
図６は、本発明の様々な実施形態に係る二つの使い捨て式光学センサーに接続されるように構成された、例示的な電子制御モジュール６００の図である。例示的な電子制御モジュール６４０は、Ｊｅｔａｌｏｎ  ＣＲ−２８８型汎用液体化学物質濃度モニターである。二つのケーブル６３０の各々の端には、それぞれセンサーヘッドを含むフローセルが設けられている。いくつかの実施形態では、二つのケーブル６３０の終端には、上述のような光学センサーに結合されたコネクタ（例えばＴｕｒｋ又はＨｉｒｏｓｈｉコネクタ）と結合されるように構成されたコネクタを設けることができる。
【００５３】
本明細書の記載においては、「備える（ｃｏｍｐｒｉｓｅｓ）」、「備える（ｃｏｍｐｒｉｓｉｎｇ）」、「含む（ｉｎｃｌｕｄｅｓ）」、「含む（ｉｎｃｌｕｄｉｎｇ）」、「有する（ｈａｓ）」、「有する（ｈａｖｉｎｇ）」との語又はこれらの語の他の活用形は、非排他的な包含をカバーするものとして意図されたものである。例えば、列挙された構成要素を備える方法、物、物品、又は装置とは、必ずしもそれらの構成要素のみを備えるものに限定されることはなく、明示的に列挙されていない構成要素やそうした方法、物品、又は装置に内在する構成要素など、その他の構成要素を含んでもよい。さらに、別段の明示的な記載がない限り、「又は（ｏｒ）」とは包括的な「又は」を意味するものであり、排他的な「又は」を指すものではない。例えば、「Ａ又はＢ」という条件は、Ａが真（又は存在する）でＢが偽（又は不存在）の場合、Ａが偽（又は不存在）でＢが真（又は存在）の場合、並びにＡ及びＢがともに真（又は存在）の場合のいずれでも満たされる。
【００５４】
また、本明細書に記載された任意の例や図は、いかなる形であろうとも、それらとともに用いられる任意の用語の制限、限定、又は定義とみなしてはならない。そうではなく、これらの例や図は、特定の一実施形態についての記載であり単なる例示とみなすべきものである。例えば、上述のように、本明細書に記載された各実施形態ではポリマーバッグを利用するものが図示されているが、本明細書に記載された各実施形態は、ライナー（例えばポリマーライナー）又はオーバーパックとともに利用する場合、例えば貯蔵又は分配システム（例えばＢＩＢシステムやＢＩＣシステム）などの用途に基づくライナーにおいて利用する場合でも、等しく効果的に利用することができることに留意されたい。このようなライナーとしては、例えば、溶接本体部を有する管状又は円筒形状のライナー、折畳み式又は可撓性のライナー、剛性ライナー、押出ライナー、ガセット付き又はガセットなしライナー、単独式ライナー、レセプタクルや器中で利用されるライナーなどが挙げられる。このようなバッグ、ライナー、及びオーバーパックは、「Ｌｉｑｕｉｄ  Ｃｈｅｍｉｃａｌ  Ｄｉｓｐｅｎｓｉｎｇ  ａｎｄ  Ｒｅｃｉｒｃｕｌａｔｉｎｇ  Ｓｙｓｔｅｍ」と題されて１９９４年７月１日に出願された米国特許第５、５２６、９５６号；「Ｒｅｔｕｒｎａｂｌｅ  ａｎｄ  Ｒｅｕｓａｂｌｅ，  Ｂａｇ−ｉｎ−Ｄｒｕｍ  Ｆｌｕｉｄ  Ｓｔｏｒａｇｅ  ａｎｄ  Ｄｉｓｐｅｎｓｉｎｇ  Ｃｏｎｔａｉｎｅｒ  Ｓｙｓｔｅｍ」と題されて２００年５月３日に出願された米国特許第６、６９８、６１９号；「Ｓｕｂｓｔａｎｔｉａｌｌｙ  Ｒｉｇｉｄ  Ｃｏｌｌａｐｓｉｂｌｅ  Ｌｉｎｅｒ  ａｎｄ  Ｆｌｅｘｉｂｌｅ  Ｇｕｓｓｅｔｅｄ  ｏｒ  Ｎｏｎ−Ｇｕｓｓｅｔｅｄ  Ｌｉｎｅｒｓ  ａｎｄ  Ｍｅｔｈｏｄｓ  ｏｆ  Ｍａｎｕｆａｃｔｕｒｉｎｇ  ｔｈｅ  Ｓａｍｅ  ａｎｄ  Ｍｅｔｈｏｄｓ  ｆｏｒ  Ｌｉｍｉｔｉｎｇ  Ｃｈｏｋｅ−Ｏｆｆｓ  ｉｎ  Ｌｉｎｅｒｓ」と題されて２０１２年１０月２５日に出願された米国特許出願公開第２０１２／０２６７３８８号及び「Ｇｅｎｅｒａｌｌｙ  Ｃｙｌｉｎｄｒｉｃａｌｌｙ−Ｓｈａｐｅｄ  Ｌｉｎｅｒ  ｆｏｒ  Ｕｓｅ  ｉｎ  Ｐｒｅｓｓｕｒｅ  Ｄｉｓｐｅｎｓｅ  Ｓｙｓｔｅｍｓ  ａｎｄ  Ｍｅｔｈｏｄｓ  ｏｆ  Ｍａｎｕｆａｃｔｕｒｉｎｇ  ｔｈｅ  Ｓａｍｅ」と題されて２０１１年１２月９日に出願された国際ＰＣＴ出願第ＰＣＴ／ＵＳ２０１１／０６４１４１号、；「Ｌｉｎｅｒ−ｂａｓｅｄ  Ｓｈｉｐｐｉｎｇ  ａｎｄ  Ｄｉｓｐｅｎｓｉｎｇ  Ｓｙｓｔｅｍｓ」と題されて２０１２年１２月２０日に出願された国際ＰＣＴ出願第ＰＣＴ／ＵＳ２０１２／０７０８６６号；「Ｓｕｂｓｔａｎｔｉａｌｌｙ  Ｒｉｇｉｄ  Ｃｏｌｌａｐｓｉｂｌｅ  Ｌｉｎｅｒ，  Ｃｏｎｔａｉｎｅｒ  ａｎｄ／ｏｒ  Ｌｉｎｅｒ  ｆｏｒ  Ｒｅｐｌａｃｉｎｇ  Ｇｌａｓｓ  Ｂｏｔｔｌｅｓ，  ａｎｄ  Ｅｎｈａｎｃｅｄ  Ｆｌｅｘｉｂｌｅ  Ｌｉｎｅｒｓ」と題されて２０１１年１０月１０日に出願された国際ＰＣＴ出願第ＰＣＴ／ＵＳ１１／５５５５８号；「Ｎｅｓｔｅｄ  Ｂｌｏｗ  Ｍｏｌｄｅｄ  Ｌｉｎｅｒ  ａｎｄ  Ｏｖｅｒｐａｃｋ  ａｎｄ  Ｍｅｔｈｏｄｓ  ｏｆ  Ｍａｋｉｎｇ  Ｓａｍｅ」と題されて２０１１年１０月１０日に出願された国際ＰＣＴ出願第ＰＣＴ／ＵＳ１１／５５５６０号；「Ｇｅｎｅｒａｌｌｙ  Ｃｙｌｉｎｄｒｉｃａｌｌｙ−Ｓｈａｐｅｄ  Ｌｉｎｅｒ  ｆｏｒ  Ｕｓｅ  ｉｎ  Ｐｒｅｓｓｕｒｅ  Ｄｉｓｐｅｎｓｅ  Ｓｙｓｔｅｍｓ  ａｎｄ  Ｍｅｔｈｏｄｓ  ｏｆ  Ｍａｎｕｆａｃｔｕｒｉｎｇ  ｔｈｅ  Ｓａｍｅ」と題されて２０１１年１２月９日に出願された国際ＰＣＴ出願第ＰＣＴ／ＵＳ１１／６４１４１号；「Ｌｉｎｅｒ−Ｂａｓｅｄ  Ｄｉｓｐｅｎｓｅｒ」と題されて２０１１年３月２９日に出願された米国仮出願第６１／４６８、８３２号；「Ｌｉｎｅｒ−Ｂａｓｅｄ  Ｄｉｓｐｅｎｓｉｎｇ  Ｓｙｓｔｅｍｓ」と題されて２０１１年８月１９日に出願された米国仮出願第６１／５２５、５４０号；「Ｆｌｕｉｄ  Ｓｔｏｒａｇｅ  ａｎｄ  Ｄｉｓｐｅｎｓｉｎｇ  Ｓｙｓｔｅｍｓ  ａｎｄ  Ｐｒｏｃｅｓｓｅｓ」と題されて２００６年６月５日に出願された米国特許出願第１１／９１５、９９６号；「Ｍａｔｅｒｉａｌ  Ｓｔｏｒａｇｅ  ａｎｄ  Ｄｉｓｐｅｎｓｉｎｇ  Ｓｙｓｔｅｍ  ａｎｄ  Ｍｅｔｈｏｄ  Ｗｉｔｈ  Ｄｅｇａｓｓｉｎｇ  Ａｓｓｅｍｂｌｙ」と題されて２０１０年１０月７日に出願された国際ＰＣＴ出願第ＰＣＴ／ＵＳ１０／５１７８６号、国際ＰＣＴ出願第ＰＣＴ／ＵＳ１０／４１６２９号、米国特許第７、３３５、７２１号、米国特許出願第１１／９１２、６２９号、米国特許出願第１２／３０２、２８７号、及び国際ＰＣＴ出願第ＰＣＴ／ＵＳ０８／８５２６４号に示されている。これらはいずれも、その全体があらゆる目的のために参照により本明細書に組み込まれる。当業者には、これらの例や図とともに用いられる用語が他の実施形態並びにその実装例及び修正例をも包含するものであり、こうした実施形態並びに実装例及び修正例は当該用語の記載箇所又は本明細書のその他の箇所に記載されていようといまいと構わないことや、このような実施形態はすべて当該用語の範囲内に含まれるように意図されていることが理解されよう。このように非限定的な例及び図であることを示す記載としては、これらに限定するものではないが、「例えば（ｆｏｒ  ｅｘａｍｐｌｅ）」、「例えば（ｆｏｒ  ｉｎｓｔａｎｃｅ）」、「例えば（ｅ．ｇ．）」、「一実施形態では（ｉｎ  ｏｎｅ  ｅｍｂｏｄｉｍｅｎｔ）」、「など（ａｎｄ  ｔｈｅ  ｌｉｋｅ）」などが挙げられる。
【００５５】
本開示の様々な態様に係るさらなる修正例及び代替的実施形態は、本説明に基づき当該技術分野における当業者には明らかとなろう。従って、本説明は単なる例示として解釈されるべきものであり、本開示の内容を実施する一般的な方法を当業者に教示するという目的で記載されたものである。本明細書に示され記載された本開示に係る形態は現在好ましい実施形態として捉えるべきものであることが理解されよう。本開示に係る上記説明の恩恵を受けた当業者にとって明らかなものであれば、本明細書に図示及び記載された構成要素及び材料は、別のもので代替させることができ、各部品及び各プロセスは逆の構成としてもよく、本開示の特定の特徴はすべて独立に利用することができる。以下の特許請求の範囲に記載された本開示の趣旨及び範囲を逸脱しない限り、本明細書に記載された各構成要素は変更されてもよい。
【符号の説明】
【００５６】
３００、５１０  ポートアセンブリ
３１０、４１０、  光学センサー
３２０、４２０  光学コネクタフランジ
３２２、４２２  液体濃度センサー
３２４、４２４  熱センサー
３３０  キャップ
３５０、４５０  光学窓
３６０  透光性窓
４０５  バッグ
４３０  レセプタクル
４４２、６３０  ケーブル
５００  光学センサーシステム
５１２  ポート光学窓
５１４  外側環状ニップル
５１６  内側環状ニップル
５１８  外側環状リング
５２０  センサーアセンブリ
５２２  内側環状リング
５２４  リングシール
５３２  ネジ式キャップ
５３４  センサー
５３６  センサー光学窓
５４０  ボンネット
６００、６４０  電子制御モジュール
【図１】
0006754695.tif 000002
【図２】
0006754695.tif 000003
【図３Ａ】
0006754695.tif 000004
【図３Ｂ】
0006754695.tif 000005
【図４】
0006754695.tif 000006
【図５Ａ】
0006754695.tif 000007
【図５Ｂ】
0006754695.tif 000008
【図６】
0006754695.tif 000009